(57)【要約】      （修正有）【課題】回路遮断器の接触子間の隙間で形成可能な電弧をより効果的で快速に消滅させる。【解決手段】回路遮断器１００は、電気的に直列接続される少なくとも２群の接触子を備える。前記少なくとも２群の接触子が開放する際に、同時に開放する。直列接続される各群の接触子の距離が累積されるため、各群の接触子間の距離は増加する。それは、各群の接触子間で形成可能な如何なる電弧もより効果的に切断するアーク電圧を増加させる。接触子は、接触子が閉鎖する際に、対応する接触表面を「ワイピング」して表面における破片や汚染物を除去するための横方向の摺動動作が発生するように構成される。【選択図】図１
2018142538.tif 000002
【特許請求の範囲】
【請求項１】
互いに接触するまたは接触しないように移動可能な第１接触子と第２接触子とを含む第１群の接触子と、
互いに接触するまたは接触しないように移動可能な第３接触子と第４接触子とを含む第２群の接触子と、
コンタクトアームキャリアと、
コンタクトアームと、を備え、
前記第１群の接触子と前記第２群の接触子とが互いに直列接続され、
前記第２接触子と前記第４接触子とが前記コンタクトアームに位置決められ、
前記第１群の接触子は、前記第２群の接触子の開閉と同時に開閉するように構成され、
第１平面は、前記コンタクトアームキャリアの移動を規定し、前記コンタクトアームは、第２平面を規定し、
前記接触子の開と閉のとき、前記第２平面は、前記第１平面に対して垂直しない角度で位置決められることを特徴とする回路遮断器。
【請求項２】
前記コンタクトアームは、第１端と第２端を備え、前記第２接触子が前記第１端へ向かって位置決められ、前記第４接触子が前記第２端へ向かって位置決められることを特徴とする請求項１に記載の回路遮断器。
【請求項３】
前記第１接触子と前記第３接触子は、前記第２平面に平行する第３平面に沿って位置決められることを特徴とする請求項１に記載の回路遮断器。
【請求項４】
前記第２接触子が前記第１接触子に物理的に接触し、且つ前記第４接触子が前記第３接触子に物理的に接触するときに、前記第２接触子が前記第１接触子に対して横方向に摺動し且つ前記第４接触子が前記第３接触子に対して横方向に摺動することにより、前記第１群の接触子と前記第２群の接触子の閉鎖は、前記第１接触子と前記第２接触子と前記第３接触子と前記第４接触子との表面に沿うワイピング動作を引き起こすことを特徴とする請求項３に記載の回路遮断器。
【請求項５】
前記第１群の接触子に対応する第１消弧装置と、
前記第２群の接触子に対応する第２消弧装置と、を更に備えることを特徴とする請求項１に記載の回路遮断器。
【請求項６】
前記第１消弧装置は、少なくとも部分的に前記第１群の接触子付近に位置決められる第１アークランナーを備え、前記第２消弧装置は、少なくとも部分的に前記第２群の接触子付近に位置決められる第２アークランナーを備えることを特徴とする請求項５に記載の回路遮断器。
【請求項７】
前記第１消弧装置は、第１アーク分割板を備え、前記第２消弧装置は、第２アーク分割板を備えることを特徴とする請求項６に記載の回路遮断器。
【請求項８】
前記第１アーク分割板は、第１板群を備え、前記第２アーク分割板は、第２板群を備えることを特徴とする請求項７に記載の回路遮断器。
【請求項９】
前記第１板群の板同士は、互いに平行して位置決められ、前記第２板群の板同士は、互いに平行して位置決められることを特徴とする請求項８に記載の回路遮断器。
【請求項１０】
コンタクトアームが付着される移動可能なコンタクトアームキャリアと、
互いに接触するまたは接触しないように移動可能な第１接触子と第２接触子とを備える第１群の接触子と、
互いに接触するまたは接触しないように移動可能な第３接触子と第４接触子とを備える第２群の接触子と、を備え、
前記第１接触子が前記コンタクトアームに位置決められ、前記第３接触子が前記コンタクトアームに位置決められ、
前記第１群の接触子と前記第２群の接触子とが互いに電気的に直列接続され、
前記第１群の接触子は、前記第２群の接触子の開閉と同時に開閉するように構成され、
第１平面は、前記コンタクトアームキャリアの移動を規定し、前記コンタクトアームは、第２平面を規定し、
前記接触子の開と閉のとき、前記第２平面は、前記第１平面に対して垂直しない角度で位置決められることを特徴とする回路遮断器。
【請求項１１】
前記第１接触子と前記第３接触子は、前記第２平面に平行する第３平面に沿って位置決められることを特徴とする請求項１０に記載の回路遮断器。
【請求項１２】
前記第２接触子が前記第１接触子に物理的に接触し、且つ前記第４接触子が前記第３接触子に物理的に接触するとき、前記第２接触子が前記第１接触子に対して横方向に摺動し且つ前記第４接触子が前記第３接触子に対して横方向に摺動することにより、前記第１群の接触子と前記第２群の接触子の閉鎖は、前記第１接触子、前記第２接触子、前記第３接触子、前記第４接触子の表面に沿うワイピング動作を引き起こすことを特徴とする請求項１１に記載の回路遮断器。
【請求項１３】
前記第１群の接触子に対応する第１消弧装置と、
前記第２群の接触子に対応する第２消弧装置と、を更に備えることを特徴とする請求項１０に記載の回路遮断器。
【請求項１４】
前記第１消弧装置は、少なくとも部分的に前記第１群の接触子付近に位置決められる第１アークランナーを備え、前記第２消弧装置は、少なくとも部分的に前記第２群の接触子付近に位置決められる第２アークランナーを備えることを特徴とする請求項１３に記載の回路遮断器。
【請求項１５】
前記第１消弧装置は、少なくとも１つの第１アーク分割板を備え、前記第２消弧装置は、少なくとも１つの第２アーク分割板を備えることを特徴とする請求項１４に記載の回路遮断器。
【請求項１６】
前記コンタクトアームと、前記コンタクトアームキャリアと、前記第１群の接触子と、前記第２群の接触子とが収容されるハウジングを更に備え、
前記ハウジングは、ＤＩＮレールに脱着可能に接続されることを特徴とする請求項１０に記載の回路遮断器。
【発明の詳細な説明】
【技術分野】
【０００１】
本発明は、回路遮断器分野に関する。より具体的に、本発明は、少なくとも２群の直列接続される接触子を含む回路遮断器に関し、接触子の開放時に、前記少なくとも２群の直列接続される接触子が同時に開放してアーク電圧を増加させる。
【背景技術】
【０００２】
回路遮断器は、回路を開放して電流を中断可能な電気部品である。回路遮断器の基本例は、スイッチであり、一般的に閉状態と開状態を有する２つの電気接触子からなる。閉状態とは、接触子がくっ付いて電流をそれらの間を流させる状態を指す。開状態とは、接触子が切り離れて電流をそれらの間を流させない状態を指す。スイッチは、人によって直接操作されてコンピュータのキーボードボタン等のようなシステムへ制御信号を与え、または、ライトスイッチ等のような回路を流れる電流を制御するために用いられる。
【０００３】
回路遮断器の別の例として、回路ブレーカがある。回路ブレーカは、例えば配電板に設けられて、電線を介して伝送される電流を制限可能である。回路ブレーカは、回路をオーバーロードや短絡によるダメージから保護する。電線に電力サージ等のような故障状況が発生する場合に、回路ブレーカは、トリップする。こうして、「オン」位置にある回路ブレーカが「オフ」位置に遷移して当該回路ブレーカから引き出される電力を切断する。回路ブレーカがトリップすると、オーバーロード回路からの発火を防止可能であるとともに、電力を消費している装置への破壊も回避可能である。
【０００４】
標準の回路ブレーカは、電力供給（例えば、電力会社による電線）に接続される端子と、ブレーカが保護しようとする回路に接続される別の端子とを備える。通常、これらの端子は、それぞれ「ライン」と「負荷」と呼ばれる。ラインは、回路ブレーカへの入力と呼ばれる場合もある。負荷（出力と呼称する場合もある）は、回路ブレーカからフィードアウトされて、回路ブレーカのフィードする電気部品に接続される。
【０００５】
回路ブレーカは、単数または複数の装置を保護可能である。例えば、１つの保護される装置（例えば、１台のエアコン）は、直接回路ブレーカに接続可能である。例えば、回路ブレーカは、電源ラインを介して複数の部品に接続されて複数の装置を保護可能である。前記電源ラインは、電源ソケットに終端する。
【０００６】
回路ブレーカは、ヒューズの代替としてもよい。しかし、一回機能すると必ず交換されるヒューズとは異なり、回路ブレーカは、リセット（手動または自動）して正常運転に復帰可能である。ヒューズと回路ブレーカがほぼ同様な回路保護作用を果たすが、回路ブレーカを使用したほうがヒューズより安全で、容易に修復される場合もある。
【０００７】
例えば、ヒューズが溶断した（例えば、建物の一部の電源を切った）場合、どのヒューズが中断された回路を制御するかが分からない。このような場合に、配電板におけるあらゆるヒューズを検査してどのヒューズが焼き尽くしたあるいは使い切ったかを特定する必要がある。そして、当該ヒューズをヒューズボックスから取り出して、新たなヒューズを取り付ける必要がある。
【０００８】
この態様では、ヒューズよりも、回路ブレーカを使用したほうが簡単である。回路ブレーカがトリップした（例えば、建物の一部の電源を切った）場合、配電板を見てどの回路ブレーカが「オフ」位置に遷移したかをチェックすれば、どの回路ブレーカが中断された回路を制御するかは、容易に特定できる。そして、当該回路ブレーカを「オン」位置に遷移させるだけで、電源が再び回復可能である。
【０００９】
通常、典型的な回路ブレーカは、ハウジング内に位置する２つの接触子を有する。第１接触子は、固定的であり、ラインや負荷に接続可能である。第２接触子が第１接触子に対して移動可能であるため、回路ブレーカが「オフ」やトリップ位置にあるとき、第１接触子と第２接触子の間に隙間が存在する。
【００１０】
回路ブレーカがトリップしたときに、通電された接触子が分離するため、接触子を分離して運転する回路ブレーカに問題が起きる。こうして、可動接触子が閉位置から開位置に遷移したときに、接触子間の隙間は広くなる。
【００１１】
接触子が閉位置から分離し始め、または開位置から完全閉鎖に近づく場合、接触子の閉鎖または開放の時点から短い時間内で、接触子間で非常に小さい隙間が存在する。接触子間の電圧が十分に高い場合、当該隙間に電弧が発生する。それは、典型的な応用に、接触子間の絶縁破壊電圧が圧力と電圧条件の下での距離に対して正相関を有するからである。
【００１２】
回路遮断器の切り替え期間や回路遮断器のトリップ期間における電弧の発生は、期待しないマイナス効果を引き起こす。これらの期望しないマイナス効果は、回路遮断器の運転へ不利な影響を与え、安全面での危険を引き起こす恐れがある。
【００１３】
これらの影響は、回路遮断器の運転へ不良結果を招来する。１つの不良結果として、電弧が回路遮断器における他の物体および/または周囲物体に短絡接続し、損害を引き起こし潜在的な火事や感電事故の恐れがある。
【００１４】
アーク放電の別の不良結果として、アークエネルギーが接触子を壊し、一部の材料を微粒子状物質として空気中に逸脱する。接触子から溶断した破片が回路遮断器の機構内に遷移や飛ばされて、機構を破壊するかその運転寿命を影響する。
【００１５】
アーク放電の別の影響は、極めて高い電弧温度（何万摂氏度）に繋がり、周囲の気体分子を分裂させてオゾン、一酸化炭素及び他の化合物を発生する。電弧は、周囲の気体を電離させて交互的な伝導経路を生成する可能性がある。
【００１６】
アーク放電のこれらの不利影響を考慮し、電弧を快速に冷却し消弧して回路遮断器への損害を回避することは、非常に重要である。
【００１７】
消弧を改良する各種の技術は、既知である。例えば、Ｃａｒｌｉｎｇ Ｔｅｃｈｎｏｌｏｇｉｅｓ．Ｉｎｃに譲渡した米国特許出願番号２０１２/００３７５９８と２０１２/０２６１３８２は、電磁場を使用して電弧をアークスプリッタへ向かうように案内する。
【００１８】
しかし、電磁場を生成して電弧を移動させるには、電力を消費するとともに、装置に熱が発生する。このような状況を回避するために永久磁石を回路遮断器に組み入れることが既に実現され、これで発生した磁場は、電流が供給される必要がない。極性に敏感しないシステムも、開発されてきた。しかし、これらのあらゆるシステムは、電弧を消弧装置内に案内する装置に注目を集めている。
【００１９】
消弧装置は、装置を保護するのに有効であるが、時間とともに有効性が制限される有効期間を有する。また、複雑で繊細な消弧システムは、回路ブレーカのコストを顕著に増加させる恐れがある。
【００２０】
接触子が交流システムにおいて開放または閉鎖したときにアーク放電の形成を最小化する別の方法として、開放または閉鎖の時間を出来るだけゼロクロスポイントに近づける。しかし、この方法は、直流システムに向いていない。それは、直流システムにゼロクロスポイントがないからである。
【００２１】
したがって、これらの限制を克服する回路遮断器とともに使用される代替システムを提供することが望ましい。
【発明の概要】
【発明が解決しようとする課題】
【００２２】
そこで、本発明の目的は、接触子間の隙間で形成可能な電弧をより効果的で快速に消滅する構造を有する回路遮断器を提供することにある。
【００２３】
接触子の開放または閉鎖のときに直流システムに現れたアーク放電を最小化するシステムおよび方法を提供することがさらに望ましい。
【課題を解決するための手段】
【００２４】
互いに直列接続される第１群の接触子と第２群の接触子とを備える回路遮断器を提供してこれらの目的と他の目的を果たす。第１群の接触子は、互いに接触するまたは接触しないように移動可能な第１接触子と第２接触子を備える。第２群の接触子は、互いに接触するまたは接触しないように移動可能な第３接触子と第４接触子を備える。
【００２５】
前記システムは、第１群の接触子と第２群の接触子とが同時に開閉するように構成される。換言すれば、回路遮断器を流れた電流が回路遮断器の電流経路を流れ、前記２群の接触子を順次流れる。このような配置は、直流中断を許容し、直流回路の中断時にダブルブレーカが２倍のアーク電圧を提供する。それは、比例に応じて故障電流を低減したため、電弧の開放には非常に役立つ。直流電源は、アーク電圧を少なくとも電源電圧の１．２から１．５倍にして直流故障電流を中断させる必要があるため、本文で記述された中断期間においてより高いアーク電圧を生成する構成が極めて必要となる。
【００２６】
回路遮断器がトリップしまたは有意に開放すると（手動でまたは遠隔操作）、２群の接触子が同時に開放する。１群の接触子が開放する時の電弧（開放）電圧が接触子同士の物理距離に関連することが理解されるべきである。接触子間の距離が大きければ、アーク電圧が大きくなる。直列接続される１群の接触子を備えることにより、１群の接触子の距離が倍増（即ち、２群の接触子の開放距離が累積的である）し、電弧をより効果的で快速に切断するためのアーク電圧を増加させる。
【００２７】
第１群の接触子は、第１消弧装置を含み、第２群の接触子は、第２消弧装置を含む。更に想到できるように、第１消弧装置に関連する第１磁気体がさらに設けられて、第１接触子と第２接触子の間で形成された如何なる電弧も第１消弧装置へ押し付ける。同様に、更に想到できるように、第２消弧装置に関連する第２磁気体がさらに設けられて、第３接触子と第４接触子の間で形成された如何なる電弧も第２消弧装置へ押し付ける。
【００２８】
幾つかの実施形態では、回路遮断器は、第１磁気体の磁場を案内するように構成される第１極片を少なくとも１つ備えてもよい。前記少なくとも１つの第１極片は、第１磁気体の磁場を、第１接触子及び第２接触子の付近であって、電弧が経過する領域に集中させるように設けられてもよい。同様に、回路遮断器は、第２磁気体の磁場を案内するように設けられる第２極片を少なくとも１つ備えてもよい。前記少なくとも１つの第２極片は、第２磁気体の磁場を、第３接触子及び第４接触子の付近であって電弧が経過する領域に集中させるように設けられてもよい。
【００２９】
幾つかの実施形態では、第１磁気体で発生した磁場と電弧で発生した磁場とが相互作用することにより、電弧が第１接触子から発されたものであるか第２接触子から発されたものであるかによらず、当該電弧を第１消弧装置へ向かうように案内する。同様に、第２磁気体で発生した磁場と電弧で発生した磁場とが相互作用することにより、電弧が第３接触子から発されたものであるか第４接触子から発されたものであるかによらず、当該電弧を第２消弧装置へ向かうように案内する。
【００３０】
本応用では、以下の用語及び定義が採用される。
【００３１】
本文で使用される用語「ネットワーク」は、全ての種類のイントラネットとエクストラネット（例えば、インターネット）を含むが、如何なる特定のイントラネットやエクストラネットに限定されるものではない。
【００３２】
用語「第１」と「第２」は、１つの要素、集合、データ、対象或いは物を別の要素、集合、データ、対象或いは物と区別つけさせるが、時間上の相対位置や配置を指定しない。
【００３３】
本文で使用される用語「結合」、「に結合」、「と結合」、「接続」、「に接続」及び「と接続」は、それぞれ、２つまたはより多くの装置、機器、ファイル、プログラム、応用プログラム、媒体、部品、ネットワーク、システム、サブシステムおよび/またはツールの間の関係を表し、以下の何れか一項または複数項を構成する。（ａ）接続：直接接続もあるし、１つまたは複数の他の装置、機器、ファイル、プログラム、応用プログラム、媒体、部品、ネットワーク、システム、サブシステムおよび/またはツールを介した接続もある；（ｂ）通信関係：直接通信関係もあるし、１つまたは複数の他の装置、機器、ファイル、プログラム、応用プログラム、媒体、部品、ネットワーク、システム、サブシステムおよび/またはツールを介した通信関係もある；および/または（ｃ）機能関係：その中の任意の１つまたは複数の装置、機器、ファイル、プログラム、応用プログラム、媒体、部品、ネットワーク、システム、サブシステムおよび/またはツールの操作の全部または一部がその中の任意の１つまたは複数の他の装置、機器、ファイル、プログラム、応用プログラム、媒体、部品、ネットワーク、システム、サブシステムおよび/またはツールの操作に依存する。
【００３４】
ある実施例では、回路遮断器が提供される。当該回路遮断器は、互いに接触するまたは接触しないように移動可能な第１接触子と第２接触子とを含む第１群の接触子と、互いに接触するまたは接触しないように移動可能な第３接触子と第４接触子とを含む第２群の接触子とを備える。回路遮断器は、第１群の接触子と第２群の接触子とが互いに直列接続されるように構成され、第１群の接触子は、第２群の接触子の開閉と同時に開閉するように構成される。
【００３５】
別の実施例では、回路遮断器が提供される。当該回路遮断器は、コンタクトアームが付着される移動可能なコンタクトアームキャリアと、互いに接触するまたは接触しないように移動可能な第１接触子と第２接触子とを備える第１群の接触子と、互いに接触するまたは接触しないように移動可能な第３接触子と第４接触子とを備える第２群の接触子と、を備える。前記第１接触子が前記コンタクトアームに位置決められ、前記第３接触子が前記コンタクトアームに位置決められる。前記回路遮断器は、第１群の接触子と第２群の接触子とが互いに電気的に直列接続されるように構成され、第１群の接触子は、第２群の接触子の開閉と同時に開閉するように構成される。
【００３６】
以下の図面及び詳細な記述を考慮すると、本発明の他の目的およびその特別な特徴やメリットは、より明瞭になる。
【図面の簡単な説明】
【００３７】
図１は、本発明の各態様に係る例示的な回路遮断器の各部品を示す。
図２は、図１における断面線ＡＡに沿うビューである。
図３、図４、図５は、図１における断面線ＢＢに沿うビューであり、接触子の閉鎖および接触子同士の横方向の移動を示す。
図６は、図１による回路遮断器の図示である。
【発明を実施するための形態】
【００３８】
図面を参照し、あらゆる図面における同じ符号が対応する構造を示す。
【００３９】
図１は、本発明の各態様に係る複数の接触子を有する例示的な回路遮断器１００の各部品を示す。
【００４０】
回路遮断器１００は、接触子を用いて回路を形成したり切断したりする如何なる装置であってもよい。例えば、当業者であれば分かるように、回路遮断器１００は、簡単なスイッチ、または、例えばハウジング１０２を有する遮断器として実現可能である。ハウジング１０２は、アーク放電で発生した気体と破片をハウジング１０２から排出するための通気口を備えてもよい。
【００４１】
回路遮断器１００は、第２固定接触子１１２を備える。前記第２固定接触子１１２は、導体１２２を介して線路端子１２０に電気的に接続される。第１固定接触子１１０は、導体１２６、過電流測定装置１４０および導体１２８を介して負荷端子１２４に電気的に接続される。
【００４２】
線路端子は、発電機等の電源（図示せず）から電力を受け取る。幾つかの場面では、前記電力は、電力会社から供給される。
【００４３】
回路遮断器１００は、第１可動接触子１１４と第２可動接触子１１６を更に備え、それらが何れもコンタクトアーム１３０の対向側に取り付けられる。コンタクトアーム１３０は、さらにコンタクトアームキャリア１３２に接続される。コンタクトアームキャリア１３２は、さらに連結ユニット１３４に接続されてハンドル１３６（「スイッチ」１３８と総称する）によって駆動される。
【００４４】
第１可動接触子１１４と第２可動接触子１１６とが互いに電気的に直列接続される。
【００４５】
図１では、コンタクトアーム１３０が閉位置にあることが示され、当該閉位置に、第１固定接触子１１０が第１可動接触子１１４に物理的に接触し、且つ第２固定接触子１１２が第２可動接触子１１６に物理的に接触する。コンタクトアーム１３０が閉位置にあるとき、電気は、線路端子１２０と負荷端子１２４の間で流動可能である。
【００４６】
前記ユニットは、コンタクトアームキャリア１３２が下方へ変位しているとき、コンタクトアーム１３０が下方へ進行して（開位置にあるコンタクトアーム１３０を示す点線を参照）接触子を開放するように構成される。前記システムは、第１固定接触子１１０と第１可動接触子１１４との間の接続が第２固定接触子１１２と第２可動接触子１１６との切り離れと同時に切断されるように構成される。
【００４７】
回路遮断器１００の好ましい実現形態によれば、スイッチ１３８、トリップ機構１４２および/または他の如何なる既知の機構（図示せず）を介してコンタクトアーム１３０を駆動可能である。
【００４８】
過電流測定装置１４０は、回路遮断器１００を通る電流を測定するための如何なるタイプの周知装置であってもよい。最大電流に達すると、測定装置は、コンタクトアーム１３０を開位置まで移動させる。同様に、ハンドル１３６は、中間位置に移動して回路遮断器１００の「トリップ」状態を指し示す。
【００４９】
図１は、第１群の接触子１１０、１１４に対応する第１消弧装置１５０と第２群の接触子１１２、１１６に対応する第２消弧装置１６０とをさらに示す。
【００５０】
第１消弧装置１５０は、少なくとも部分的に第１群の接触子１１０、１１４付近に位置決められる第１アークランナー１５２を備え、第１アーク分割板１５４を更に備える。当該図において、第１アーク分割板１５４は、複数の第１アーク分割板１５４、１５４’、１５４’’、１５４’’’を含む。
【００５１】
第２消弧装置１６０は、少なくとも部分的に第２群の接触子１１２、１１６付近に位置決められる第２アークランナー１６２を備え、第２アーク分割板１６４を更に備える。当該図において、第２アーク分割板１６４は、複数の第２アーク分割板１６４、１６４’、１６４’’、１６４’’’を含む。
【００５２】
図１を参照すれば分かるように、複数の第１アーク分割板１５４、１５４’、１５４’’、１５４’’’と複数の第２アーク分割板１６４、１６４’、１６４’’、１６４’’’とは、互いに平行して配置され、且つ、それぞれコンタクトアームキャリア１３２の進行方向に対してほぼ平行に配置される。
【００５３】
回路遮断器１００は、第１群の接触子１１０、１１４と第２群の接触子１１２、１１６とが同時に開閉するように設けられる。遮断器を通った電流は、順次第１群の接触子１１０、１１４と第２群の接触子１１２、１１６（説明の目的のみで、矢印が示されて電流経路を説明する）を流れる。上述した通り、直流電源は、アーク電圧が少なくとも電源電圧の１．２倍から１．５倍になって直流故障電流を中断させるように要求される。アーク電圧が接触子間の距離に対して比例的に増加するため、直列接続される各群の接触子は、中断中においてより高いアーク電圧を発生する。直列接続の配置時、接触子間の距離が倍増し（即ち、両群の接触子の開放距離が累積するものである）、さらに電弧をより効果的に切断するアーク電圧を増加させる。それは、アーク放電を少なくして接触子と周辺機器とへの損傷を低減することに繋がる。同様に、アーク放電の減少により、期望しないアーク放電で発生した気体および破片の量も減少する。
【００５４】
図２に戻って、図２は、図１の断面線ＡＡに沿う断面図であり、コンタクトアームキャリア１３２を示す。ただし、コンタクトアーム１３０は、前記コンタクトアームキャリア１３２に付着される。
【００５５】
コンタクトアーム１３０は、コンタクトアームキャリア１３２の垂直線（点線で示す）に対して角度θで位置決められる。
【００５６】
以下では、実例を与えて本発明を更に説明と解釈する。そして、それらは、何れの態様においても制限用のものとして見なされるべきではない。かかる距離が各部品と要素の一般的な進行方向を示すが、比例に準じるものではなく、各種の構造要素の機能と相互作用を説明するだけである。
【００５７】
図３から図５は、図１の断面線ＢＢに沿う断面図であり、第２群の接触子１１２、１１６を示す。図３は、第２固定接触子１１２とコンタクトアーム１３０に取り付けられた第２可動接触子１１６とが区画されることを示す。第２可動接触子１１６の接触表面１１７がコンタクトアーム１３０の角度θに合わせる。同様に、第２固定接触子１１２が接触表面１１３を有し、前記接触表面１１３が接触表面１１７に略平行して位置決められる。矢印は、コンタクトアームキャリア１３２が移動して第２群の接触子を閉合する際にコンタクトアーム１３０の移動方向を表すために与えられている。
【００５８】
図４は、第２可動接触子１１６が既に第２固定接触子１１２に物理的に接触したことを示す。
【００５９】
図５は、第２可動接触子１１６の第２固定接触子１１２に対する横方向運動を示す。コンタクトアームキャリア１３２がコンタクトアーム１３０を移動させる際、第２可動接触子１１６の接触表面１１７は、第２固定接触子１１２の接触表面１１３に物理的に接触する。対応する接触表面１１３、１１７が初期接触した後、コンタクトアームキャリア１３２は、僅かでも、引き続き移動する。初期接触後のこのような継続的な線形運動により、接触表面１１７は、接触表面１１３に対して横方向に摺動する。このような横方向の摺動は、対応する接触表面１１３、１１７を「ワイピング」して表面における可能な破片や汚染物を除去する。このような「ワイピング」動作により、接触表面がより清潔であり、さらに接触表面１１３、１１７間の電気抵抗が低くなる。そのため、接触子に集まる如何なる何潜在的な熱を減少する。
【００６０】
図３から図５が第２群の接触子１１２、１１６に係るが、第１群の接触子１１０、１１４が類似する構造及び機能を有することは、理解されるべきである。
【００６１】
また、２群の接触子（１１０、１１４と１１２、１１６）が示されたが、当業者であれば分かるように、２群より多くの接触子を使用してもよい。例えば、２つの異なる群（４群の直列接続される接触子）が並列に接続されれば、その分だけ単独の各群の接触子を流れる電流を減少するため、より小さく軽い接触子の使用は許容される。同様に、３群の直列接続される接触子も使用可能である。これらの３群の接触子が同時に開放する場合、接触子の開放距離が増加する。各群の接触子の距離が累積的なものであるから。直列接続される接触子の複数種の直列接続配置および直列/並列配置を有効に利用可能であることは、当業者に理解されるべきである。
【００６２】
図６は、好ましい配置を示す。回路遮断器２００が示され、ハウジング２０２の底部がＤＩＮレール２０６に取り付けられる。例えば、ハウジング２０２の底部は、第１突起２０８及び第２突起２１０を有し、前記第１突起２０８及び第２突起２１０がＤＩＮレール２０６の対向縁２１２、２１４に接合する。
【００６３】
突起２０８は、変形可能に設計されることにより、突起２１０が縁２１４に接合可能であり、そして、ハウジング２０２が下方へ回転可能であり、突起２０８が縁２１２に物理的に接触する。下方への力を加えることにより、突起２０８は、縁２１２の下方を通過するまで、内方へ偏向する。その際、突起２０８は、再度外方へ偏向して縁２１２に接合することにより、ハウジング２０２をＤＩＮレール２０６に強固に固定する。それは、回路遮断器２００への接続/開放が容易になり、前記回路遮断器２００がＤＩＮレール２０６が取り付けられる如何なる箇所に実装可能である。
【００６４】
部品、特徴等の特定の配置を参照して本発明を記述したが、それらが全ての可能な配置や特徴をカバーすることを意図しない。実際のところ、当業者は、様々なの変更や改善を実施可能である。
【図１】
2018142538.tif 000003
【図２】
2018142538.tif 000004
【図３】
2018142538.tif 000005
【図４】
2018142538.tif 000006
【図５】
2018142538.tif 000007
【図６】
2018142538.tif 000008
【外国語明細書】
2018142538000001.pdf
2018142538000002.pdf
2018142538000003.pdf
2018142538000004.pdf